(57)【要約】【課題】桐箪笥に代わる新たな着物保管用収納体として、安価で使い勝手の良い着物の保管に適した着物保管用収納体を提供することを目的とする。【解決手段】正面側に開口部１を有する収納本体部２と、開口部１を開閉自在に閉塞する扉部３とから成り、収納本体部２及び扉部３は、強化段ボールから成る構成とし、扉部３は、収納本体部２の底面部５に基端部を連設して回動自在に設けた構成とし、扉部３の先端部側と開口部１の開口縁上部との一方に磁石部６を設け、他方に吸着部７を設けた構成として、扉部３の先端部側を引き操作して磁石部６と吸着部７との吸着作用を解除すると、先端部側に磁石部６若しくは吸着部７を設けた扉部３の自重により、開口部１が全開状態となる位置に扉部３が自動開動するように構成した着物保管用収納体。【選択図】図２
0003194169.tif 000002
【実用新案登録請求の範囲】
【請求項１】
正面側に開口部を有する平面視横長方形状の箱体に形成した収納本体部と、前記開口部を開閉自在に閉塞する扉部とから成り、前記開口部から畳んだ状態の着物を挿入収納するように構成した着物保管用収納体であって、前記収納本体部及び前記扉部は、複数段の中芯を有する強化段ボールから成る構成とし、前記扉部は、前記収納本体部の底面部の正面側端部に基端部を連設して回動自在に設けた構成とし、前記扉部の先端部側と前記開口部の開口縁上部との一方に磁石部を設け、他方にこの磁石部が吸着する吸着部を設けた構成として、前記扉部で前記開口部を閉塞すると、この磁石部と前記吸着部との吸着作用により、前記扉部が前記開口縁に密着して前記開口部の閉塞状態が保持され、前記扉部の先端部側を引き操作して前記磁石部と前記吸着部との吸着作用を解除すると、先端部側に磁石部若しくは吸着部を設けた前記扉部の自重により、前記開口部が全開状態となる位置に前記扉部が自動開動するように構成したことを特徴とする着物保管用収納体。
【請求項２】
前記扉部の先端部側に設けた磁石部若しくは吸着部の重みにより、この扉部の重心が先端部側に位置するように構成して、前記開口部を閉塞している前記扉部の先端部側を引き操作して前記磁石部と前記吸着部との吸着状態を解除すると、前記磁石部若しくは吸着部の重みにより開き付勢が作用して、前記開口部が全開状態となる位置に前記扉部が自動開動するように構成したことを特徴とする請求項１記載の着物保管用収納体。
【請求項３】
前記扉部と前記底面部とは、一枚の前記強化段ボールから成り、前記扉部と前記底面部との境界部に折り縁を形成して、前記扉部を前記底面部に折曲回動自在に設けた構成としたことを特徴とする請求項１，２のいずれか１項に記載の着物保管用収納体。
【考案の詳細な説明】
【技術分野】
【０００１】
本考案は、和装着物の保管に適した着物保管用収納体に関するものである。
【背景技術】
【０００２】
従来、使用しない着物を保管する際は、桐箪笥に収納保管することが好ましいとされている。これは、桐箪笥の原材料となる桐の性質が着物の保管に優れた効果を発揮するからである。
【０００３】
具体的には、桐には、湿度が高くなると自身で周囲の水分（湿気）を吸収して湿度を下げ、また、湿度が低くなると（乾燥すると）吸収した水分を放出して湿度を上げて、着物の保管に適した湿度環境を作り出す優れた調湿効果を発揮する性質と、タンニン，パウロニン，セサミンといった抗菌、防腐、防虫効果を発揮する成分を有してカビや害虫の発生を抑制する効果を発揮する性質があり、これらの性質により、桐箪笥は、防湿・防臭・防虫効果に優れ、高価な着物を良好な状態で保管することができるとして、従来から着物の保管に用いられている。
【考案の概要】
【考案が解決しようとする課題】
【０００４】
しかしながら、桐箪笥は非常に高価なもので、容易く購入できるものではなく、また、重量が重いので、運搬やレイアウト変更などの移動作業が厄介である。
【０００５】
更に、着物を収納する際、着物に皺ができないように、引き出しを大きく引き出したり本体から抜き出したりして開口部を広くした状態で収納するので、引き出しスペースを取れないような狭い場所では設置が難しく、たとえ設置できたとしても使い勝手が悪くなる等の問題もあった。
【０００６】
本考案は、上述のような現状の問題点に鑑みなされたもので、桐箪笥に代わる新たな着物保管用収納体として、安価で使い勝手の良い着物の保管に適した着物保管用収納体を提供することを目的とする。
【課題を解決するための手段】
【０００７】
添付図面を参照して本考案の要旨を説明する。
【０００８】
正面側に開口部１を有する平面視横長方形状の箱体に形成した収納本体部２と、前記開口部１を開閉自在に閉塞する扉部３とから成り、前記開口部１から畳んだ状態の着物４を挿入収納するように構成した着物保管用収納体であって、前記収納本体部２及び前記扉部３は、複数段の中芯を有する強化段ボールから成る構成とし、前記扉部３は、前記収納本体部２の底面部５の正面側端部に基端部を連設して回動自在に設けた構成とし、前記扉部３の先端部側と前記開口部１の開口縁上部との一方に磁石部６を設け、他方にこの磁石部６が吸着する吸着部７を設けた構成として、前記扉部３で前記開口部１を閉塞すると、この磁石部６と前記吸着部７との吸着作用により、前記扉部３が前記開口縁に密着して前記開口部１の閉塞状態が保持され、前記扉部３の先端部側を引き操作して前記磁石部６と前記吸着部７との吸着作用を解除すると、先端部側に磁石部６若しくは吸着部７を設けた前記扉部３の自重により、前記開口部１が全開状態となる位置に前記扉部３が自動開動するように構成したことを特徴とする着物保管用収納体に係るものである。
【０００９】
また、前記扉部３の先端部側に設けた磁石部６若しくは吸着部７の重みにより、この扉部３の重心が先端部側に位置するように構成して、前記開口部１を閉塞している前記扉部３の先端部側を引き操作して前記磁石部６と前記吸着部７との吸着状態を解除すると、前記磁石部６若しくは吸着部７の重みにより開き付勢が作用して、前記開口部１が全開状態となる位置に前記扉部３が自動開動するように構成したことを特徴とする請求項１記載の着物保管用収納体に係るものである。
【００１０】
また、前記扉部３と前記底面部５とは、一枚の前記強化段ボールから成り、前記扉部３と前記底面部５との境界部に折り縁８を形成して、前記扉部３を前記底面部５に折曲回動自在に設けた構成としたことを特徴とする請求項１，２のいずれか１項に記載の着物保管用収納体に係るものである。
【考案の効果】
【００１１】
本考案は上述のように構成したから、軽量でありながら優れた強度を有し、また、開口部の開閉操作が簡易で容易に着物の出し入れができ、しかも、低コストで製造可能で安価に市場に提供することができる。
【００１２】
しかも、本考案は、桐箪笥のように引き出しを引き出さなくても、扉部の上下回動開閉操作により容易に収納本体部の正面側に設けた開口部を開口でき、この開口部から容易に着物を挿入収納できるので、桐箪笥のような引き出しを引き出すスペースを必要としないので、引き出しスペースを取れないような狭い場所にも設置でき、しかも、使い勝手も良い実用性に優れた画期的な着物保管用収納体となる。
【図面の簡単な説明】
【００１３】
【図１】本実施例の展開図である。
【図２】本実施例を示す説明斜視図である。
【図３】本実施例に係る要部（磁石部）の説明斜視図である。
【図４】本実施例に係る要部（吸着部）の説明斜視図である。
【図５】本実施例の使用状態を示す説明斜視図である。
【考案を実施するための形態】
【００１４】
好適と考える本考案の実施形態を、図面に基づいて本考案の作用を示して簡単に説明する。
【００１５】
磁石部６と吸着部７との吸着作用により収納本体部２の開口部１を閉塞している扉部３の先端部側を引き操作して、吸着部７と磁石部６とを離脱させると、扉部３は自重により自動的に開動（下がり回動）して開口部１が全開状態になる。
【００１６】
また、扉部３は、非吸着状態では自重により下方側への開き付勢が作用しているので、一々扉部３を手で押さえていなくても開口部１が全開状態となる位置を保持し、これにより、開口部１の全開状態が保持される。
【００１７】
従って、着物４を収納する際は、扉部３を手で押えておく必要が無いので、両手が使え、この両手で畳んだ状態の着物４を水平に持って、全開状態の正面側開口部１から挿入して収納本体部２内に収納することができる。
【００１８】
また、この着物４を収納本体部２内に挿入収納した後、扉部３を閉じ操作して開口部１を閉塞状態にすると、磁石部６と吸着部７とが吸着して、扉部３は開口部１の開口縁に密着し、開口部１の閉塞状態を保持する。
【００１９】
このように、本考案は、扉部３の開閉操作が容易で、また、使い勝手が良いので、着物４に皺を生じさせることなく極めて容易に着物４を収納することができる。
【００２０】
即ち、桐箪笥のように引き出しを引き出す必要が無く、単に、扉部３の先端部側を引き操作して吸着解除するだけの簡易な操作で、容易に開口部１を全開状態に開口させることができるので、引き出しを引き出すスペースが不要で、狭い場所でも使用でき、また、使い勝手も良いものとなる。
【００２１】
更に、本考案は、収納本体部２、扉部３共に強化段ボールから成る構成としたから、強度があり、また、重量が軽く、耐久性と運搬、移動の容易さの双方のメリットを有し、更に、桐箪笥に比べて安価に提供できるので、経済性及び実用性に優れた画期的な着物保管用収納体となる。
【００２２】
このように、本考案は、桐箪笥に代わる新たな着物保管用収納体として、安価で使い勝手の良い着物の保管に適した着物保管用収納体となる。
【００２３】
尚、本考案において、磁石部６及び吸着部７を設ける扉部３の先端部側や開口部１の開口縁上部とは、扉部３上や開口縁上に限られるものではなく、例えば扉部３上部付近に付設する場合や天面部や側面部の開口縁付近も含むことを意味する。
【実施例】
【００２４】
本考案の具体的な実施例について図面に基づいて説明する。
【００２５】
本実施例は、正面側に開口部１を有する平面視横長方形状の箱体に形成した収納本体部２と、前記開口部１を開閉自在に閉塞する扉部３とから成り、前記開口部１から畳んだ状態の着物４を挿入収納するように構成した着物保管用収納体であって、前記収納本体部２及び前記扉部３は、複数段の中芯を有する強化段ボールから成る構成とし、前記扉部３は、前記収納本体部２の底面部５の正面側端部に基端部を連設して回動自在に設けた構成とし、前記扉部３の先端部側と前記開口部１の開口縁上部との一方に磁石部６を設け、他方にこの磁石部６が吸着する吸着部７を設けた構成として、前記扉部３で前記開口部１を閉塞すると、この磁石部６と前記吸着部７との吸着作用により、前記扉部３が前記開口縁に密着して前記開口部１の閉塞状態が保持され、前記扉部３の先端部側を引き操作して前記磁石部６と前記吸着部７との吸着作用を解除すると、先端部側に磁石部６若しくは吸着部７を設けた前記扉部３の自重により、前記開口部１が全開状態となる位置に前記扉部３が自動開動するように構成したものである。
【００２６】
以下、本実施例に係る構成各部について詳細に説明する。
【００２７】
本実施例の収納本体部２は、図１に示すような一枚の強化段ボールからなる方形状展開部材９を、この方形状展開部材９に予め設けた折り縁に沿ってコ字状に折曲して天面部10、背面部11、底面部５を形成し、このコ字状に形成した方形状展開部材９の左右開口部に夫々、強化段ボールからなる側面部12を組み付けて、図２に示すような、天面部10、背面部11、底面部５、左右側面部12を有し、正面側に開口部１が形成された平面視横長方形状の扁平な箱体に形成した構成としている。
【００２８】
より具体的に説明すると、本実施例では、強化段ボールに、中芯を二段有する二層フルート構造のものを採用している。尚、強化段ボールは本実施例に限らず、例えば中芯を三段有する三層フルート構造のものを採用しても良い。
【００２９】
また、収納本体部２は、高さ：１７０ｍｍ、幅：９９０ｍｍ、奥行き：４５０ｍｍに設定して、開口部１から畳んでたとう紙に包んだ着物４を更に折り畳むことなくそのまま挿入収納し得るように構成すると共に、このたとう紙に包んだ着物４を複数枚（本実施例では三枚）積み重ねて収納できる構成としている。
【００３０】
また、この収納本体部２の正面側に形成された開口部１を開閉自在に閉塞する扉部３は、収納本体部２の底面部５と一体に形成し（即ち、本実施例の扉部３は、天面部10、背面部11、底面部５と共に強化段ボールからなる方形状展開部材９で形成される構成とし）、境界部に折り縁８を形成して、底面部５に対して折曲回動自在に設けた下開きタイプとした構成としている。
【００３１】
具体的には、本実施例は、境界部の内側面にＶ字状の切込みを入れて内側に折曲する折り縁８を形成し、扉部３を起き上がり折曲回動させることでこの扉部３が収納本体部２の開口部１を閉塞するように構成している。
【００３２】
また、本実施例の扉部３は、先端部側の左右両側に、扉部３を開き操作する際に指先を引掛け係止するための指掛け孔13を形成した構成としている。
【００３３】
また、この扉部３は、磁石の吸着力により開口部１の開口縁に密着して開口部１の閉塞状態を保持する構成としている。
【００３４】
具体的には、本実施例では、扉部３の開口部１の開口縁に当接する部分に磁石部６を設け、この扉部３に設けた磁石部６が当接する開口部１の開口縁に、この磁石部６が吸着する吸着部７（具体的には金属体）を設けた構成としている。
【００３５】
より具体的には、磁石部６は、図３に示すように、扉部３の先端部側の左右両端部に磁石部６を収納する凹部を形成し、この凹部に磁石部６を収納して扉部３の表面と面一状態に設け、更に露出する磁石部６を強化段ボールの外ライナーで形成した磁石部被覆片14で覆い、外部から磁石部６が見えないように構成して、外観上の見栄えを良くした構成としている。
【００３６】
また、吸着部７は、図４に示すように、収納本体部２の左右側面部12の夫々の正面側端部の上端部に吸着部７を収納する凹部を形成し、この凹部に吸着部７を収納して側面部12の正面側端面と面一状態に設け、更に露出する吸着部７を強化段ボールの外ライナーで形成した吸着部被覆片15で覆い、外部から吸着部７が見えないように構成して、外観上の見栄えを良くした構成としている。
【００３７】
また、本実施例は、この扉部３の先端部側に磁石部６を設けることで、この磁石部６の重みにより、この扉部３の重心が先端部側に位置するように構成して、開口部１を閉塞している扉部３の先端部側を引き操作して磁石部６と吸着部７との吸着状態を解除すると、この磁石部６の重みにより扉部３に開き付勢が作用して、開口部１が全開状態となる位置に扉部３が自動開動するように構成している。
【００３８】
即ち、本実施例は、開口部１を閉塞している扉部３を引き操作して磁石部６を吸着部７から離脱させるだけで、先端部側（閉塞状態において上部側）に重心が位置する扉部３が容易に自動で下がり回動（開き動作）して開口部１を全開状態にすると共に、この扉部３に開き付勢が作用し続けることで開口部１の全開状態が保持される構成としている。
【００３９】
尚、本実施例は、扉部３に磁石部６を設けた構成としたが、扉部３に吸着部７を設け、収納本体部２側に磁石部６を設けた構成としても良い。
【００４０】
上述のように構成した本実施例の作用・効果について以下に説明する。
【００４１】
本実施例は、強化段ボールから成る構成としたから、軽量で優れた強度を発揮する着物保管用収納体となり、これにより、運搬、移動が容易でレイアウト変更も楽にでき、また、図５に示すように、複数段積み重ねても潰れず安心して使用することができる。従って、収納する着物４が増えても、一体ずつ追加することができるので、経済的で、また、箪笥などの他の収納体のように別の場所に設置する必要も無いので、場所を取らずレイアウトにも困らない。
【００４２】
また、本実施例は、扉部３を下開きタイプにすると共に、磁石部６と吸着部７との吸着作用により収納本体部２の開口部１の閉塞状態を保持する構成としたから、確実に開口部１の閉塞状態が保持され、また、着物４を収納する際は、扉部３に設けた指掛け孔13に指先を引掛けて先端部側を引き操作して吸着部７から磁石部６を離脱させるだけの極めて簡易な操作で、扉部３が自動回動して開口部１が全開状態になり、更に、扉部３を先端部側（上部側）重心にしたことで下方側への開き付勢が作用し、一々扉部３を手で押さえていなくても開口部１が全開状態となる位置を保持するので、扉部３を手で押えておく必要が無く、両手が使え、この両手で畳んだ状態の着物４を水平に持って、この全開状態の正面側開口部１から挿入して収納本体部２内に収納することができ、着物４に皺を生じさせることなくきれいに収納することができ、しかも、桐箪笥のような正面側に引き出しを引き出すための広いスペースを必要とせず、狭い場所でも設置でき、使い勝手も良い。
【００４３】
また、本実施例は、着物４を収納する際、図５に示すように、着物保管袋（防湿、抗菌、防虫効果を有するものが好ましい）に入れた状態で収納保管することで、一層良好に保管できる。
【００４４】
このように、本実施例は、桐箪笥に代わる新たな着物保管用収納体として、安価で使い勝手の良い着物の保管に適した着物保管用収納体となる。
【００４５】
尚、本考案は、本実施例に限られるものではなく、各構成要件の具体的構成は適宜設計し得るものである。
【符号の説明】
【００４６】
１  開口部
２  収納本体部
３  扉部
４  着物
５  底面部
６  磁石部
７  吸着部
８  折り縁
【図１】
0003194169.tif 000003
【図２】
0003194169.tif 000004
【図３】
0003194169.tif 000005
【図４】
0003194169.tif 000006
【図５】
0003194169.tif 000007